(57)【要約】  ワイヤレス通信システムの基地局において、マシン・タイプ通信デバイスであるユーザ機器にデータを送信するための方法であって、基地局によって、第１のルールにより第１の数の周波数リソース・ブロックに、送信される予定のデータをマッピングするステップであって、第１の数は１より大きい、ステップと、基地局によって、周波数リソース・ブロックの各々に、異なる周波数を割り当てるステップと、基地局によって、周波数リソース・ブロックの各々を異なるサブフレームへとカプセル化し、次いで、ユーザ機器にそれらを順次に送るステップとを含む。
2016515773.tif 000002
【特許請求の範囲】
【請求項１】
ワイヤレス通信システムの基地局において、マシン・タイプ通信デバイスであるユーザ機器にデータを送信する方法であって、
ｂ．前記基地局によって、第１のルールにより第１の数の周波数リソース・ブロックに、送信される予定のデータをマッピングするステップであって、前記第１の数は１より大きい、ステップと、
ｃ．前記基地局によって、前記周波数リソース・ブロックの各々に、異なる周波数を割り当てるステップと、
ｄ．前記基地局によって、前記ユーザ機器に連続して送信するために、異なるサブフレームへと前記周波数リソース・ブロックの各々をカプセル化するステップと
を含む方法。
【請求項２】
前記ステップｂの前に、
ａ．前記基地局によって、前記ユーザ機器に第１のメッセージを送信するステップであって、前記第１のメッセージは、前記周波数リソース・ブロックのうちの第１の周波数リソース・ブロックを送信するために時間および周波数について前記ユーザ機器に通知するために使用される、ステップ
をさらに含む請求項１に記載の方法。
【請求項３】
前記ステップｃで、前記周波数リソース・ブロックの各々の間の周波数間隔は、同一であり、前記第１のメッセージは、前記同一の周波数間隔および／または前記第１の数をさらに含む請求項２に記載の方法。
【請求項４】
前記ステップｂの前記第１のルールは、
前記周波数リソース・ブロックの各々に、前記送信される予定のデータのすべてのコンテンツをマッピングするステップ、または
前記送信される予定のデータを前記第１の数の部分に分割するステップであって、前記部分の各々は、前記周波数リソース・ブロックの１つにそれぞれマッピングされるステップ
の１つを含む請求項１に記載の方法。
【請求項５】
前記周波数リソース・ブロックの各々は、異なるハイブリッド自動再送要求の冗長版を使用するか、または
前記周波数リソース・ブロックの各々は、同じ符号ブロックの異なるセグメントをそれぞれ運ぶ
請求項１乃至４のいずれか１項に記載の方法。
【請求項６】
ワイヤレス通信システムにおいて、マシン・タイプ通信デバイスであるユーザ機器でデータを受信する方法であって、
Ｂ．前記ユーザ機器によって、それぞれ前記基地局から送信された第１の数のサブフレームを連続して受信するステップであって、前記サブフレームの各々は、そこにカプセル化された周波数リソース・ブロックを持ち、前記周波数リソース・ブロックの各々は相互に異なる、ステップと、
Ｃ．前記第１の数のサブフレームでカプセル化された前記周波数リソース・ブロックから、受信される予定のデータを回復するステップと
を含む方法。
【請求項７】
ステップＢの前に、
Ａ．前記ユーザ機器によって、前記基地局から送信された第１のメッセージを受信するステップであって、前記第１のメッセージは、前記周波数リソース・ブロックのうちの第１の周波数リソース・ブロックを送信するために時間および周波数について前記ユーザ機器に通知するために使用される、ステップ
をさらに含む請求項６に記載の方法。
【請求項８】
前記ステップＢで、前記周波数リソース・ブロックの各々の間の周波数間隔は同一であり、前記第１のメッセージは、前記同一の周波数間隔および／または前記第１の数をさらに含む請求項７に記載の方法。
【請求項９】
前記周波数リソース・ブロックの各々は、符号ブロック・セグメントをそれぞれ運び、前記ステップＣは、前記第１の数のサブフレームを受信した後に、前記第１の数のサブフレームでカプセル化された前記周波数リソース・ブロックのすべてから、前記受信される予定のデータのすべてを回復するステップをさらに含む請求項６乃至８のいずれか１項に記載の方法。
【請求項１０】
ワイヤレス通信システムの基地局において、マシン・タイプ通信デバイスであるユーザ機器にデータを送信するための装置であって、
第１のルールにより第１の数の周波数リソース・ブロックに、送信される予定のデータをマッピングするためのマッピング・ユニットであって、前記第１の数は１より大きい、マッピング・ユニットと、
前記周波数リソース・ブロックの各々に、異なる周波数を割り当てるための割り当てユニットと、
前記ユーザ機器に連続して送信するために異なるサブフレームへと前記周波数リソース・ブロックの各々をカプセル化するための送信ユニットと
を含む装置。
【請求項１１】
前記ユーザ機器に第１のメッセージを送信するための通知ユニットであって、前記第１のメッセージは、前記周波数リソース・ブロックのうちの第１の周波数リソース・ブロックを送信するために時間および周波数について前記ユーザ機器に通知するために使用される、通知ユニットをさらに含む請求項１０に記載の装置。
【請求項１２】
前記周波数リソース・ブロックの各々の間の周波数間隔は同一であり、前記第１のメッセージは、前記同一の周波数間隔および／または前記第１の数をさらに含む請求項１０または１１に記載の装置。
【請求項１３】
ワイヤレス通信システムにおいて、マシン・タイプ通信デバイスであるユーザ機器でデータを受信するための装置であって、
それぞれ前記基地局から送信された第１の数のサブフレームを連続して受信するための第１の受信ユニットであって、前記サブフレームの各々は、そこにカプセル化された周波数リソース・ブロックを持ち、前記周波数リソース・ブロックの各々の周波数は相互に異なる、第１の受信ユニットと、
前記第１の数のサブフレームでカプセル化された前記周波数リソース・ブロックから、受信される予定のデータを回復するための回復ユニットと
を含む装置。
【請求項１４】
前記基地局から送信された第１のメッセージを受信するための第２の受信ユニットであって、前記第１のメッセージは、前記周波数リソース・ブロックのうちの第１の周波数リソース・ブロックを送信するために時間および周波数について前記ユーザ機器に通知するために使用される、第２の受信ユニット
をさらに含む請求項１３に記載の装置。
【請求項１５】
前記周波数リソース・ブロックの各々の間の周波数間隔は同一であり、前記第１のメッセージは、前記同一の周波数間隔および／または前記第１の数をさらに含む請求項１３または１４に記載の装置。
【発明の詳細な説明】
【技術分野】
【０００１】
本発明は、ワイヤレス通信技術の分野に関し、より詳細には、マシン・タイプ通信技術の分野に関する。
【背景技術】
【０００２】
近年、マシン・タイプ通信（ＭＴＣ）は、ワイヤレス通信技術の分野において注目される話題となっている。最近の３ＧＰＰ標準化会議では、既存のＭＴＣ技術の発展のために新しい目標が提案され、それは、２０ｄＢの有効範囲拡張を実現するために低コストのＭＴＣデバイスの改善を必要とする。
【０００３】
いわゆる低コストのＭＴＣデバイスは、たとえばワイヤレス・センサ・デバイスなど、低複雑性および低電力消費の一連のワイヤレス・デバイスを表している。そのようなデバイスは、上記の改善目標を実現することを非常に困難にする、以下に示す２つの目立った特徴を有する。
【０００４】
第１に、そのようなデバイスは、常に非常に狭い帯域で機能する。典型的には、既存の３ＧＰＰ仕様では、ＭＴＣデバイスの動作帯域幅は、１．４ＭＨｚか、または６個の周波数リソース・ブロック（ＲＢ）として表される。そのような狭い周波数帯では、利得を実現する多くの従来技術をＭＴＣに適用することが困難になる。典型的には、ワイヤレス通信の分野で一般的に使用される周波数ダイバーシティ技術は、あまりにも狭い動作帯域は、さらに分割することはできないという事実のために、ＭＴＣに直接的に適用することができない。
【０００５】
第２に、そのようなデバイスは、一般的に、様々な種類の産業装置または建築物の内部に取り付けられており、したがって、そのチャネルの透過損失はかなり大きいので、低コストのＭＴＣで、迅速かつ正確なチャネル状況報告を実行するのは難しい。さらに、上記の理由のために、周波数ダイバーシティを適用することができない場合、その受信機は、深刻なフェージングに直面する。
【０００６】
上記の２つの理由のために、低コストのＭＴＣデバイスに適用可能な新しいタイプの周波数ダイバーシティ方法を求めることが望ましい。そのような方法は、シグナリング・オーバヘッドを著しく増加させずに、ＭＴＣデバイスの狭い動作周波数帯域で機能することができなければならない。さらに、それは、低複雑性および低電力消費など低コストのＭＴＣデバイスの本来の利点を保持するために、簡単な方法で実装することができる。
【発明の概要】
【課題を解決するための手段】
【０００７】
従来技術の上記の問題を解決するために、本発明は、ＭＴＣデバイスに適用可能な新しい周波数ダイバーシティ方法を提供する。周波数ダイバーシティの利得効果は、複数のバンドルされたＲＢに送信ブロック（ＴＢ）のデータをマッピングし、複数のバンドルされたＲＢに異なる周波数を割り当て、次いで、連続して送信するために異なるサブフレームのこれらのＲＢをカプセル化することによって達成される。加えて、最も簡単なスケジューリング方法は、また、固定された周波数間隔を設定することによって実装することができる。
【０００８】
具体的には、本発明の第１の態様によると、ワイヤレス通信システムの基地局において、マシン・タイプ通信デバイスであるユーザ機器にデータを送信するための方法が提案されており、方法は、基地局によって、第１のルールにより第１の数の周波数リソース・ブロックに、送信される予定のデータをマッピングするステップであって、第１の数は１より大きい、ステップと、基地局によって、周波数リソース・ブロックの各々に、異なる周波数を割り当てるステップと、基地局によって、ユーザ機器に順次に送信するために、異なるサブフレームへと周波数リソースの各々をカプセル化するステップとを含む。
【０００９】
好ましくは、基地局によって、ユーザ機器に第１のメッセージを送信するステップであって、第１のメッセージは、周波数リソース・ブロックのうちの第１の周波数リソース・ブロックを送信するために時間および周波数についてユーザ機器に通知するために使用される、ステップをさらに含む。
【００１０】
好ましくは、周波数リソース・ブロックの各々の間の周波数間隔は同一である。
【００１１】
より好ましくは、同一の周波数間隔は、基地局によって構成される。
【００１２】
好ましくは、第１の数は、基地局によって構成される。
【００１３】
好ましくは、第１の数は、２、４、または８である。
【００１４】
より好ましくは、第１のメッセージは、同一の周波数間隔をさらに含む。
【００１５】
より好ましくは、第１のメッセージは、第１の数をさらに含む。
【００１６】
好ましくは、第１のルールは、周波数リソース・ブロックの各々に、送信される予定のデータのすべてのコンテンツをマッピングするステップを含む。
【００１７】
好ましくは、第１のルールは、送信される予定のデータを第１の数の部分に分割するステップであって、部分の各々は、周波数リソース・ブロックの１つにそれぞれマッピングされるステップを含む。
【００１８】
好ましくは、周波数リソース・ブロックの各々は、異なるハイブリッド自動再送要求の冗長版を使用する。
【００１９】
好ましくは、周波数リソース・ブロックの各々は、同じ符号ブロックの異なるセグメントをそれぞれ運ぶ。
【００２０】
本発明の第２の態様によると、ワイヤレス通信システムにおいてマシン・タイプ通信デバイスであるユーザ機器でデータを受信する方法が提案され、方法は、ユーザ機器によって、それぞれ基地局から送信された第１の数のサブフレームを連続して受信するステップであって、サブフレームの各々は、そこにカプセル化された周波数リソース・ブロックを持ち、周波数リソース・ブロックの各々の周波数は相互に異なる、ステップと、第１の数のサブフレームでカプセル化された周波数リソース・ブロックから受信される予定のデータを回復するステップとを含む。
【００２１】
好ましくは、ユーザ機器によって、基地局から送信された第１のメッセージを受信するステップであって、第１のメッセージは、周波数リソース・ブロックのうちの第１の周波数リソース・ブロックを送信するために時間および周波数についてユーザ機器に通知するために使用される、ステップをさらに含む。
【００２２】
より好ましくは、周波数リソース・ブロックの各々の間の周波数間隔は同一である。
【００２３】
より好ましくは、同一の周波数間隔は、基地局によって構成される。
【００２４】
より好ましくは、第１の数は、基地局によって構成される。
【００２５】
より好ましくは、第１の数は、２、４、または８である。
【００２６】
より好ましくは、第１のメッセージは、同一の周波数間隔をさらに含む。
【００２７】
より好ましくは、第１のメッセージは、第１の数をさらに含む。
【００２８】
好ましくは、周波数リソース・ブロックの各々が符号ブロック・セグメントをそれぞれ運ぶ場合、第１の数のサブフレームを受信した後に、第１の数のサブフレームでカプセル化された周波数リソース・ブロックのすべてから、受信される予定のデータのすべてを回復するステップをそこにさらに含む。
【００２９】
本発明の第３の態様によると、ワイヤレス通信システムの基地局においてマシン・タイプ通信デバイスであるユーザ機器にデータを送信するための装置が提案され、装置は、第１のルールにより第１の数の周波数リソース・ブロックに送信されるデータをマッピングするためのマッピング・ユニットであって、第１の数は１より大きい、マッピング・ユニットと、周波数リソース・ブロックの各々に、異なる周波数を割り当てるための割り当てユニットと、ユーザ機器に順次に送信するために異なるサブフレームへと周波数リソースの各々をカプセル化するための送信ユニットとを含む。
【００３０】
好ましくは、ユーザ機器に第１のメッセージを送信するための通知ユニットであって、第１のメッセージは、周波数リソース・ブロックのうちの第１の周波数リソース・ブロックを送信するために時間および周波数についてユーザ機器に通知するために使用される、通知ユニットをそこにさらに含む。
【００３１】
より好ましくは、周波数リソース・ブロックの各々の間の周波数間隔は同一であり、第１のメッセージは、同一の周波数間隔および／または第１の数をさらに含む。
【００３２】
本発明の第４の態様によると、ワイヤレス通信システムにおいてマシン・タイプ通信デバイスであるユーザ機器でデータを受信するための装置が提案され、それぞれ基地局から送信された第１の数のサブフレームを連続して受信するための第１の受信ユニットであって、サブフレームの各々は、そこにカプセル化された周波数リソース・ブロックを持ち、周波数リソース・ブロックの各々の周波数は相互に異なる、第１の受信ユニットと、第１の数のサブフレームでカプセル化された周波数リソース・ブロックから受信される予定のデータを回復するための回復ユニットとを含む。
【００３３】
好ましくは、基地局から送信された第１のメッセージを受信するための第２の受信ユニットであって、第１のメッセージは、周波数リソース・ブロックのうちの第１の周波数リソース・ブロックを送信するために時間および周波数についてユーザ機器に通知するために使用される、第２の受信ユニットをそこにさらに含む。
【００３４】
より好ましくは、周波数リソース・ブロックの各々の間の周波数間隔は同一であり、第１のメッセージは、同一の周波数間隔および／または第１の数をさらに含む。
【００３５】
本発明では、システムの帯域幅の合計は、異なる周波数の複数のＲＢに１つのＴＢのデータをマッピングし、次いで、各ＭＴＣデバイスが周波数ダイバーシティ利得を取得するように、複数のサブフレームで送信することによって、ＭＴＣデバイスの動作帯域幅を増加させることなく、周波数ダイバーシティを実行するために十分に利用することができる。一方、固定された周波数間隔を設定することによって、システム・スケジューリングは非常に簡単になる。１つのシグナリングのみで、上記の複数の送信はスケジューリングすることができ、また、スケジューリングは、持続的な方式でも実行することができる。したがって、信号送信オーバヘッドは非常に小さい。さらに、本発明は、ＭＴＣデバイス・バッファの占有を少ししか増加させない。したがって、実装の複雑さおよびコストは非常に低い。
【００３６】
添付の図面に関して限定を目的としない実施形態に関する以下の詳細な説明を読むことによって、本発明の他の機能、目的、および利点がより明白になるであろう。
【図面の簡単な説明】
【００３７】
【図１】本発明による周波数リソース・ブロックの時間周波数領域を示す分配図である。
【図２】本発明によるデータを送信するための方法を示す流れ図である。
【図３】本発明によるデータを受信するための方法を示す流れ図である。
【図４】本発明による送信装置を示すブロック図である。
【図５】本発明による受信装置を示すブロック図である。
【発明を実施するための形態】
【００３８】
同一または同様の参照番号は、同一または同様のステップの機能または手段／モジュールを示している。
【００３９】
好ましい実施形態の以下の詳細な説明は、本発明の一部を形成する添付の図面を参照するものである。添付の図面は、本発明を実装することができる一部の特定の実施形態を典型的に示している。代表的な実施形態は、本発明によるすべての実施形態について余すところなく述べることを意図するものではない。本発明の範囲から逸脱することなく、他の実施形態も使用することができるか、または本発明の実施形態に構造的もしくは論理的な補正を実行できることを理解されるであろう。したがって、以下の詳細な説明は制限的なものではなく、本発明の範囲は、添付する請求項によって規定される。
【００４０】
現在の３ＧＰＰ仕様では、各低コストのＭＴＣデバイスの動作帯域幅は、わずか１．４ＭＨｚである。したがって、この帯域幅範囲内で周波数ダイバーシティを直接的に実現するのはかなり難しいであろう。他方では、１つの基地局および複数の低コストのＭＴＣデバイスを含むセルの観点から、システム全体の帯域幅は、まだ、周波数ダイバーシティ技術を適用する要件を満たすには十分である。したがって、本発明は、低コストのＭＴＣデバイスで周波数ダイバーシティ利得を好都合に取得するために、複数のＲＢのバンドリングに基づくスケジューリング方法を革新的に提案する。
【００４１】
図１は、本発明の特定の一実施形態によるＲＢバンドリングのための時間周波数領域の分配図を示している。この図から、基地局は、４つの異なるＲＢに１つのＴＢのデータをマッピングし、次に、ＲＢの各々に異なる周波数を割り当てることが見られる。ここでは、１つのＴＢがどれだけのＲＢにマッピングされるかは、本発明の実装に影響せず、ＲＢの数が２以上である限り、周波数ダイバーシティを実装することができることが指摘されるべきである。典型的には、１つのＴＢは、２つ、４つ、または８つのＲＢにマッピングすることができる。ＲＢの数が多いほど、より高い利得が達成され、同様に、対応する実装のオーバヘッドはより高くなる。以下、説明の便宜のために、４つのＲＢにマップする例を使う。この図から、ＲＢの各々は、１．４ＭＨｚの帯域幅を用いるサブフレームへそれぞれカプセル化され、次いで、ターゲットＭＴＣデバイスに連続して送信されることがさらに見られる。鍵は、ＲＢの各々、または送信されたサブフレームの各々は、異なる周波数を使用することにある。
【００４２】
上記のプロセスから、ＲＢ／サブフレームの各々を送信／受信するために、それはまだ１．４ＭＨｚ帯域幅のみを使用するが、１ＴＢの全体的な送信／受信の観点から、それは４つの異なる１．４ＭＨｚ帯域幅を使用することによって実装される。つまり、個々のＭＴＣデバイスに対する周波数ダイバーシティ送信は、ＴＢレベルで実現されることが見られる。したがって、本発明の主な改善は、１つの送信を複数のバンドルされた送信に分割することにあり、各バンドルされた送信で使用される周波数は相互に異なる。したがって、個々のＭＴＣデバイスについて、異なる周波数で複数回の送信結果を受信することによって、かなりの周波数ダイバーシティ利得を達成することができる。
【００４３】
基地局がＴＢ−ＲＢマッピングを実行する場合、異なるルールを採用することができる。たとえば、１つのＴＢのすべてのデータは、複数のＲＢに繰り返しマッピングすることができる。つまり、各ＲＢは同じデータを含み、同じＴＢのすべてのデータは、異なる周波数で繰り返し送信されるか、または１つのＴＢのデータは、複数の部分に分割することができ、部分の各々は、１つのＲＢにそれぞれマッピングされる。つまり、同じＴＢのデータは、異なる周波数でセグメントによって送信される。たとえば、上記の実施形態では、１つのＴＢのデータは、４つのＲＢにマッピングされる４つの部分にそれぞれ分割することができ、次いで、ＲＢの各々は、それぞれ、異なる周波数が割り当てられ、ターゲットＭＴＣデバイスに送信される。
【００４４】
本発明による送信方法の１つの利点は、非常に柔軟なスケジューリングの能力である。たとえば、１つのＴＢをいくつのＲＢにマッピングするかのパラメータは、異なるトラフィック・タイプまたはチャネル条件に適応させるために、基地局によって構成することができるか、またはパラメータは、システムで事前定義することができ、事前規定する長所は、基地局およびＭＴＣデバイスが対話を信号送信することなく、パラメータを知ることができるという点である。
【００４５】
さらに、スケジューリングの信号送信オーバヘッドをさらに簡素化するために、好ましい解決作は、それぞれのＲＢの周波数間で固定されたオフセットを設定することである。このようにして、周波数オフセットのパラメータのみで、複数回のバンドルされた送信の間の周波数変動を表現することができる。同様に、パラメータは、また、基地局によって構成するか、または事前定義することができる。
【００４６】
したがって、最も簡素化された場合、つまり、ＴＢマッピングの数が事前定義されていて、周波数オフセットも固定され事前定義されている場合、基地局は、第１のＲＢの送信をスケジューリングする必要のみがあり、つまり、基地局は、第１のシグナリング・メッセージを介して、第１のＲＢの送信の時間および周波数について、ＭＴＣデバイスに通知することのみが必要とされ、次いで、ＭＴＣデバイスは、次の送信周波数を知り、事前定義されたパラメータに基づいて時間を送信し、次いで、対応する受信動作を実行し、それによって、基地局によって送信されたＴＢを回復する。他方では、ＴＢマッピングの数および周波数オフセットが基地局によって構成される場合、第１のＲＢの２つのパラメータおよびスケジューリング情報は、また、上に記述された第１のシグナリング・メッセージを介してＭＴＣデバイスにともに送信することができるため、１つのシグナリング・メッセージを通じて複数回のバンドルされた送信のスケジューリングを完了することができる。
【００４７】
さらに、好ましい解決策として、送信時に、基地局は、また、各ＲＢに異なるＨＡＲＱ冗長版（ＲＶ：ｒｅｄｕｎｄａｎｃｙ  ｖｅｒｓｉｏｎ）を使用することができるため、複数回のバンドルされた送信の各送信は、個々に繰り返すことができる。
【００４８】
別の好ましい解決策は、各ＲＢに同じ符号ブロックの１つのセグメントをそれぞれ運ばせることであり、つまり、すべてのバンドルされたＲＢは、共同で符号化される。この方法では、さらなる符号化／復号の利得を取得することができる。
【００４９】
それに対応して、本発明によると、受信側で、ＭＴＣデバイスは、持続的なスケジュール構成または上述の第１のメッセージに基づいて、複数の異なる周波数で基地局によって送信された複数のバンドルされたＲＢを連続して受信し、次いで、基地局によって送信されたＴＢのデータを回復する。送信側の条件に依存して、ＭＴＣデバイスは、ＴＢの部分データを取得するために、ＲＢを受信した後に、毎回、解読し、次に、それらを組み合わせることができるか、または送信側の共同の符号化の場合には、ＭＴＣデバイスは、すべてのＲＢを受信した後に、ＴＢのすべてのデータを回復するために共同の復号を実行する。
【００５０】
図２は、上記の特定の実施形態によるワイヤレス通信システムの基地局において、マシン・タイプ通信デバイスであるユーザ機器にデータを送信する方法を示しており、方法は、以下のステップを含む。
Ｓ２１：基地局は、第１のルールにより第１の数の周波数リソース・ブロックに、送信される予定のデータをマッピングし、第１の数は、１より大きい。
Ｓ２２．基地局は、周波数リソース・ブロックの各々に異なる周波数を割り当てる。
Ｓ２３．基地局は、ユーザ機器に連続して送信するために、異なるサブフレームへと周波数リソース・ブロックの各々をカプセル化する。
【００５１】
図３は、上記の特定の実施形態による、ワイヤレス通信システムにおいて、マシン・タイプ通信デバイスであるユーザ機器でデータを受信する方法を示しており、方法は、以下のステップを含む。
Ｓ３１：ユーザ機器は、それぞれ基地局から送信された第１の数のサブフレームを連続して受信し、サブフレームの各々は、そこにカプセル化された周波数リソース・ブロックを持ち、周波数リソース・ブロックの各々は、相互に異なる。
Ｓ３２．第１の数のサブフレームでカプセル化された周波数リソース・ブロックから、受信される予定のデータを回復する。
【００５２】
以下、本発明によって提供されるように、上記の方法に対応する装置は、ブロック図に関して説明されるであろう。ユニット／モジュールの機能は、上記の方法における方法の機能と対応関係を持つという事実を考慮して、それらの描写は簡潔である。
【００５３】
図４は、ワイヤレス通信システムの基地局において、マシン・タイプ通信デバイスであるユーザ機器にデータを送信するための装置Ｓ４０のブロック図を示しており、装置ｓ４０は、
第１のルールにより第１の数の周波数リソース・ブロックに、送信される予定のデータをマッピングするためのマッピング・ユニット４００１であって、第１の数は１より大きい、マッピング・ユニット４００１と、
周波数リソース・ブロックの各々に、異なる周波数を割り当てるための割り当てユニット４００２と、
ユーザ機器に連続して送信するために異なるサブフレームへと周波数リソース・ブロックの各々をカプセル化するための送信ユニット４００３と
を含む。
【００５４】
図５は、ワイヤレス通信システムにおいて、マシン・タイプ通信デバイスであるユーザ機器でデータを受信するための装置Ｓ５０のブロック図を示しており、装置Ｓ５０は、
それぞれ基地局から送信された第１の数のサブフレームを連続して受信するための第１の受信ユニット５０１であって、サブフレームの各々は、そこにカプセル化された周波数リソース・ブロックを持ち、周波数リソース・ブロックの各々は、相互に異なる第１の受信ユニット５０１と、
第１の数のサブフレームでカプセル化された周波数リソース・ブロックから、受信される予定のデータを回復するための回復ユニット５００２と
を含む。
【００５５】
上に、本発明の実施形態について記述した。しかしながら、本発明は特定のシステム、装置、または特定のプロトコルに制限されるものではない。当業者は、添付された請求項の範囲内において、様々な変形形態または修正を行うことができる。
【００５６】
当業者は、記述、開示された内容、図面、および添付された請求項を検討することを通じて、開示された実施形態の他の変形形態を理解および実装することができる。特許請求の範囲では、「含む（ｃｏｍｐｒｉｓｅ）」という言葉は、他の要素およびステップを除外するものではなく、「１つの（ａ）」または「１つの（ａｎ）」という言葉は、複数を除外するものではない。本発明では、「第１の」および「第２の」は、連続する関係を表す代わりに、単に名前を示すものである。本発明の実際の用途では、予備の部品は、特許請求の範囲に詳しく述べられるような複数の技術的特徴の機能を実行することができる。特許請求の範囲における引用符号は、範囲を制限するものとして理解するべきではない。
【図１】
2016515773.tif 000003
【図２】
2016515773.tif 000004
【図３】
2016515773.tif 000005
【図４】
2016515773.tif 000006
【図５】
2016515773.tif 000007
【国際調査報告】
2016515773.tif 000008
2016515773.tif 000009
2016515773.tif 000010